(57)【要約】【課題】透し掘り専用機を使用すること無く比較的長い距離（例えば１ｍ以上）を透し掘りすることが出来て、所謂「切り廻し」も行う必要が無い様な透し掘り連壁工法及びそれに用いられる掘削装置の提供。【解決手段】掘削用機械（例えば、バケット２０）に透し掘り用掘削部材（第１段階拡幅用の透し掘り用カッタＡ３０（１））を取り付ける工程と、該透し掘り用掘削部材（透し掘り用カッタＡ３０（１））を取り付けた掘削用機械（２０）により地中障害物（例えば、地中埋設管３）下方の領域（Ｇ３）の一部を掘削する掘削工程と、透し掘り用掘削部材（透し掘り用カッタＡ３０（１））先端に別の透し掘り用掘削部材（例えば第２段階拡幅用のカッタＡ３０（２））を取り付けて透し掘り用掘削部材（Ａ３０）の長さを延長させる掘削部材延長工程とを有しており、地中障害物（３）下方の領域（Ｇ３）の全域が掘削されるまで（例えば、第３段階拡幅用の透し掘り用カッタ（Ａ３０（３））が装着されて、第３段階の拡幅掘削が完了するまで）前記掘削工程と掘削部材延長工程とを繰り返す。【選択図】図５
2004044083.tif 000002
【特許請求の範囲】
【請求項１】
掘削用機械に透し掘り用掘削部材を取り付ける工程と、該透し掘り用掘削部材を取り付けた掘削用機械により地中障害物下方の領域の一部を掘削する掘削工程と、透し掘り用掘削部材の長さを延長させる掘削部材延長工程とを有しており、地中障害物下方の領域の全域が掘削されるまで前記掘削工程と掘削部材延長工程とを繰り返すことを特徴とする透し掘り連壁工法。
【請求項２】
前記掘削工程は、前記掘削用機械を上昇させる際、及び／又は下降させる際に行われる請求項１の透し掘り連壁工法。
【請求項３】
前記掘削工程の際に、掘削された溝最下方部に溜まった土砂を前記透し掘り用掘削部材を取り外した掘削用機械により除去する工程を有している請求項１又は２の何れかの透し掘り連壁工法。
【請求項４】
請求項１〜請求項３のいずれか１項の透し掘り連壁工法で用いられる掘削装置において、掘削用機械に取り付け可能に構成され、且つ、地中障害物の下側から掘削する透し掘り用掘削部材を設け、該透し掘り用掘削部材はその長さを延伸可能に構成されていることを特徴とする掘削装置。
【請求項５】
前記透し掘り用掘削部材は、上方及び／又は下方に掘削用のブレードを備えている請求項４の掘削装置。
【請求項６】
前記前記透し掘り用掘削部材は、取付用ブラケットにより掘削用機械に取り付けられる請求項４、５の何れかの掘削装置。
【発明の詳細な説明】
【０００１】
【発明の属する技術分野】
本発明は、地中連続壁を築造する際に行われる透し掘り連壁工法に関する。
【０００２】
【従来の技術】
幹線道路の下に地中構造物を建設する場合、連続壁を築造する位置に水道管、ガス管、ケーブルその他のライフラインが障害物となることは珍しくない。
【０００３】
これに対して、地中障害物を一時的に撤去して地中壁築造後に復元する所謂「切り廻し」の方法もあるが、地中埋設管等の重要なライフラインには適用しにくいことや、コスト的にも問題が大きい欠点がある。
【０００４】
地中障害物をさけて、かつ地中連続壁を築造する方法としては、図１８に示すような一般的な掘削装置７の施工後に、新たな透し掘り専用機に入れ替えて、透し掘りをする技術も提案されている。
【０００５】
しかし、拡径ビットの長さが長過ぎると、掘削の際の反力で、掘削装置７が掘削反力で振られてしまい、掘削孔内壁面と衝突したり、或いは、当該反力により拡径ビット等が破損してしまうので、従来の拡径ビットなどを使ったものでは、幅員が１ｍ程度の地中障害物を避けるのが限界である。
【０００６】
幅員の大きい地中障害物のある場所において、地中連続壁を築造する「透し掘り」の１連の工程が、図１８、図１９で示されている。
【０００７】
図１８は、地中障害物３に隣接したエレメント（地盤Ｇ）を公知の掘削装置７によってガイド溝５を掘削する状態を示している。地中連続壁掘削装置を構成する地上に配置された掘削動力を有する動力車Ｖ１と、掘削装置７とで、鉛直方向にガイド溝５を掘削する。
【０００８】
図１９は、「透し掘り」の初期掘削状態を示している。動力車Ｖ１と掘削装置７に換えて透し掘り動力車Ｖ２と専用機８とを配置し、図におけるガイド溝５の左方に反力材１１と排泥管１３を建て込み、排泥装置１５を地上に配置して、透し掘り専用機８で鉛直下方に延ばした回転カッタ８ａを上方に旋回させて地中障害物３の下方にある地盤Ｇ３を掘削する。
【０００９】
（図１９で示す以降の工程については図示されていないが、）中間掘削〜所定の深さの底部まで掘削し、障害物の地下を連通する連続溝を形成する。
【００１０】
ついで、動力車に替えて懸垂動力車を配置し、連続溝Ｈ内に分割した鉄筋籠を建込む。
【００１１】
ついで、懸垂動力車に替えてコンクリートアジテータ車を配置し、鉄筋籠に挿入した導管からコンクリートを打設して、障害物の直下を含む連続壁の施工を完成させる。
【００１２】
しかし、上記の「透し掘り」における動力車と、一般の掘削装置とでガイド溝を掘削し、まだ一般的でない透し掘り専用車と透し掘り専用機を配置するには、配置替えを含む施工工数と時間がかかり、非常にコストが掛かるという欠点がある。
【００１３】
【発明が解決しようとする課題】
本発明は上述した従来技術の問題点に鑑みて提案されたものであり、透し掘り専用機を使用すること無く比較的長い距離（例えば１ｍ以上）を透し掘りすることが出来て、所謂「切り廻し」も行う必要が無い様な透し掘り連壁工法及びそれに用いられる掘削装置の提供を目的としている。
【００１４】
【課題を解決するための手段】
本発明の透し掘り連壁工法は、掘削用機械（例えば、バケット（２０））に透し掘り用掘削部材（第１段階拡幅用の透し掘り用カッタＡ３０（１））を取り付ける工程と、該透し掘り用掘削部材（透し掘り用カッタＡ３０（１））を取り付けた掘削用機械（２０）により地中障害物（例えば、地中埋設管３）下方の領域（Ｇ３）の一部を掘削する掘削工程と、（例えば、透し掘り用掘削部材：透し掘り用カッタＡ３０（１））先端に別の透し掘り用掘削部材（例えば第２段階拡幅用のカッタＡ３０（２）を取り付けて、あるいはカッタＡ３０（１）を別のカッタに交換して、）透し掘り用掘削部材（Ａ３０）の長さを延長させる掘削部材延長工程とを有しており、地中障害物（３）下方の領域（Ｇ３）の全域が掘削されるまで（例えば、第３段階拡幅用の透し掘り用カッタ（Ａ３０（３））が装着されて、第３段階の拡幅掘削が完了するまで）前記掘削工程と掘削部材延長工程とを繰り返すことを特徴としている（請求項１）。
上記において、透し掘り用掘削部材のカッタ（Ａ３０）は、各カッタ（例えばＡ３０（１）、Ａ３０（２）あるいはＡ３０（３））の総称である。
【００１５】
また、本発明の透し掘り連壁工法で用いられる掘削装置は、掘削用機械（例えばバケット２０）に取り付け可能に構成され、且つ、地中障害物（例えば地中埋設管３）の下側から掘削する透し掘り用掘削部材（透し掘り用カッタＡ３０）を設け、該透し掘り用掘削部材は、（例えば、透し掘り用カッタＡ３０）は複数段接続可能であり、あるいは交換可能である）その長さを延伸可能に構成されていることを特徴としている（請求項４）。
【００１６】
係る構成を具備する本発明によれば、前記透し掘り用掘削部材（透し掘り用カッタ）は複数段接続可能であり、１段ずつ継ぎ足しては透し掘りを行う領域を増加するので、単一のカッタ等を用いた場合のように、掘削の際の反力により掘削用のカッタが破損してしまったり、掘削用機械（２０）が振られて掘削孔内壁面と衝突してしまうことが防止される。
また、地中障害物の長さ（築造される連壁の長手方向における地中障害物長さ）に対応して、透し掘り用掘削部材（透し掘り用カッタ）の接続する段数を適宜調節することにより、透し掘りを行う長さを調節することが出来る。あるいは、透かし堀り用部材（カッタ）を交換することによっても、その長さを延長させることが可能である。
【００１７】
また、前記透し掘り用掘削部材（透し掘り用カッタ）をバケットのような掘削用機械に取り付けるだけでよく、透し掘り専用掘削機械を使用する必要が無く、バケットの様な小出力の掘削機械により、透し掘り専用機の様な大出力機と同等の地中壁延長方向の長い距離（透し掘り長さ）が掘れる。
【００１８】
本発明の透し掘り連壁工法において、前記掘削工程は、前記掘削用機械（例えばバケット２０）を上昇させる際、及び／又は下降させる際に行われるのが好ましい（請求項２）。
換言すれば、前記掘削工程は、前記掘削用機械（例えばバケット２０）の上昇時であっても、下降時であっても、或いはその両方においても、行うことが出来る。
【００１９】
そして、本発明の透し掘り連壁工法で用いられる掘削装置は、前記透し掘り用掘削部材（Ａ３０）は、上方及び／又は下方に掘削用のブレード（例えば３０ａ、３０ｂ）を備えているのが好ましい（請求項５）。
【００２０】
さらに本発明の透し掘り連壁工法において、前記掘削工程の際に、掘削された溝最下方部に溜まった土砂（Ｇｓ）を前記透し掘り用掘削部材（Ａ３０）を取り外した掘削用機械（例えばバケット２０）により除去する工程を有することが好ましい（請求項３）。
【００２１】
本発明の実施に際して、前記前記透し掘り用掘削部材（透し掘り用カッタＡ３０）は、取付用ブラケット（２４）により掘削用機械（例えばバケット２０）に取り付けられるのが好ましい（請求項６）。
【００２２】
ここで、当該取付用ブラケットの半径方向寸法については、以下の様な基準により定められるのが好ましい。すなわち、
透し掘り用カッタ（Ａ３０）を（バケットのような）掘削機械に取り付けるためのブラケットの半径方向外方縁部２４ａは、掘削機械の掘削部分の半径方向外方縁部２２ａよりも、半径方向内方に位置している必要がある。
当該ブラケットの半径方向外方縁部が掘削機械の掘削部分の半径方向外方縁部よりも半径方向外方に位置している場合には、掘削部分が掘削するべき土壌に接触する以前にブラケットが当該土壌に接触してしまうので、通常の掘削作業が出来なくなってしまう。
【００２３】
一方、取付用ブラケットの円周方向寸法については、次のように定められる。すなわち、
透し掘り時において透し掘り用カッタ（Ａ３０）を片持ち梁とするモーメントが作用し、この曲げモーメントをブラケットによって支持する。この場合、ブラケットの円周方向寸法が小さいと、ボルト穴間の寸法（Ｌ）も小になり、ボルト及びボルト穴間の応力が大になってボルトの折損やクラックが発生する。
係るクラック発生を防止する程度まで、ボルト数及びボルト穴間の寸法（Ｌ）が確保できる程度まで、ブラケットの円周方向寸法が必要である。
ここで、ブラケットの円周方向寸法は、掘削用機械（例えばバケット）の円周方向寸法（ＬＢ）を越えることは出来ない。
【００２４】
【発明の実施の形態】
以下、添付図面の図１〜図１７を参照して、本発明の実施形態について説明する。なお、図示の実施形態において、掘削用機械としては、バケットが用いられている。
【００２５】
図１〜図８において、本発明の透し掘り連壁工法を施工する際の工程図を示している。
【００２６】
図１は、地中障害物３のある地盤Ｇに本工法を施工するための準備工程を示すもので、地中障害物３に隣接する地盤にガイド溝５（図２参照）を掘削する掘削ガイド５１を設置した状態を示している。本実施例では、埋設管である障害物３までの深さＨは３０２１ｍｍ、障害物３の高さは９００ｍｍで、築造すべき連続壁の深さは３８ｍである。
【００２７】
図２において、掘削ガイド５０をガイドとして掘削装置１７のバケット２０によって所定の深さまでガイド溝５を掘削する。図２中のガイド溝５上部に位置する掘削装置１７が掘削初期を示し、ガイド溝５下部に位置する掘削装置１７が掘削完了時の状態を示している。
【００２８】
図３以降が透し掘りである。その準備として障害物３の直上部に防護用山留
５２を設置する。また、ガイド溝５から引上げた掘削装置１７のバケット２０に詳細を後記する拡幅５９６ｍｍ用の第１段階カッタＡ３０（１）を取り付ける（掘削用機械に透し掘り用掘削部材を取り付ける工程）。そして掘削装置１７をガイド溝５に挿入して、障害物３の下方１０００ｍｍから下方に向ってバケット２０を開閉させて第１段階カッタＡ３０（１）により第１段階拡幅部Ｂ１の拡幅掘削をする（地中障害物下方の領域の一部を掘削する工程）。
【００２９】
拡幅掘削によりガイド溝５の底部に掘削土砂Ｇｓが溜まり、拡幅掘削が進行しない状況になったときに第１段階カッタＡ３０（１）を外したバケット２０により底さらいをする（溝最下方部に溜まった土砂を透し掘り用部材を取り外した掘削用機械により除去する工程）。このようにして、所定の深さまで、本例では３８ｍの深さまで拡幅を行って、第１段階の拡幅掘削を完了する。
【００３０】
ついで、ガイド溝５から掘削装置１７を地上に引上げて、図４に示す第２段階拡幅掘削用の第２段階カッタＡ３０（２）を取り付ける。第２段階カッタＡ３０（２）は、本例ではガイド溝５からの拡幅を１０９６ｍｍにするために、第１段階カッタＡ３０（１）に拡幅用の別のカッタ４０を付け加える（透し掘り用掘削部材の長さを延長させる掘削部材延長工程）。この場合に、第１段階カッタＡ３０（１）を外して拡幅１０９６ｍｍの一体カッタを取り付けて掘削部材の延長をしてもよい。
【００３１】
そして、図４のように、第１段階拡幅部Ｂ１に第２段階拡幅部Ｂ２を加えて所定の深さまで拡幅を行って第２段階掘削を完了する。図４中の第１段階拡幅部Ｂ１は、第２段階拡幅掘削の要領を明示するための説明用のもので、第２段階掘削を開始する際には中空状態になっている。従って、第２段階カッタＡ３０（２）にかかる掘削抵抗は、第２段階拡幅部Ｂ２のみの抵抗であって後記するブラケット２４へのモーメントは第１段階拡幅掘削より著しく過大になることはない。
【００３２】
この第２段階拡幅掘削の完了までの過程で、ガイド溝５の底部に掘削土砂Ｇｓが溜まり、拡幅掘削が進行しない状況になった段階で第２段階カッタＡ３０（２）を外したバケット２０により底さらいをする（溝最下方部に溜まった土砂を透し掘り用部材を取り外した掘削用機械により除去する工程）。
【００３３】
ついで、ガイド溝５から掘削装置１７を地上に引上げて、図５に示す第３段階拡幅掘削用の第３段階カッタＡ３０（３）を取り付ける。第３段階カッタＡ３０（３）は、本例ではガイド溝５からの拡幅を１６９６ｍｍにするために、第２段階カッタＡ３０（２）に拡幅用の別のカッタ５０を付け加える（透し掘り用掘削部材の長さを延長させる掘削部材延長工程）。
【００３４】
そして、図５のように、第２段階拡幅部Ｂ２に第３段階拡幅部Ｂ３を加えて所定の深さまで拡幅を行って第３段階掘削を完了する。この第３段階拡掘削においても、第２段階拡幅部Ｂ２までが中空状態になっているので、第３段階カッタＡ３０（３）にかかる掘削抵抗は、第３段階拡幅部Ｂ３のみの抵抗であってブラケット２４へのモーメントは第１段階拡幅掘削あるいは第２段階拡幅掘削より著しく過大になることはない。
【００３５】
この拡幅掘削完了までの過程で、ガイド溝５の底部に掘削土砂Ｇｓが溜まり、拡幅掘削が進行しない状況になった段階で第１段階、第２段階掘削と同様に底さらいをする（溝最下方部に溜まった土砂を、透し掘り用部材を取り外した掘削用機械により除去する工程）。図６は、第３段階掘削が完了した状態を示している。
【００３６】
図７は、バケット２０に取り付けた透し掘り用カッタＡ３０（３）を外して底さらいをし、所定の深さまで完成させる状態を示している。
【００３７】
図８は、透し掘の深さが、正確に所定深さになっていることを、深さ確認装置例えば、超音波による深さ測定装置Ｍｓ及びＳｓによって確認している状態を示している。符号Ｓｓは超音波発信装置を、符号Ｍｓは反射波受信装置を示している。
【００３８】
地中障害物（図１〜図８の例では地中埋設管３）の寸法がより長いのであれば、透し掘り用の第３段階カッタＡ３０（３）を、さらに追加して（４段以上接続して）、当該地中障害物下方の領域Ｇ３を透し掘りすることが出来る。
【００３９】
上記のようにして、地中障害物３の下方領域Ｇ３を透し掘削によって掘削した後は、図１及び図２に示す通常の掘削工程を繰り返す。
【００４０】
上記の透し掘り用掘削装置によれば、従来の重厚、高価な専用の透し掘り用掘削機を使用しなくて済む。そして、専用の透し掘り用掘削機を使用する場合の労力に比較して、バケットに透し掘り用の第１、第２、第３段階カッタＡ３０（１）、Ａ３０（２）、Ａ３０（３））を取り付けるほうが遥かに簡単である。
【００４１】
従って、単独の透し掘り用カッタではなく、複数段接続可能にしているので、地中障害物の長さ、すなわち透かし掘りするべき領域の大きさに対応して、接続段数を適宜調節することが出来る。
【００４２】
これによって、バケットに取り付ける単一のカッタでは、１ｍ以上の透し掘りは土壌の反力によるカッタの破損となって掘削不可能であったものが、図示の実施形態では、複数回に分けて掘削することにより、幅員１ｍ以上の長距離にわたる透し掘りが可能となる。
【００４３】
図９は、図３〜図５で示す本発明の工程で用いられた透し掘り用カッタの詳細を示している。図９（ａ）は、掘削装置１７の掘削部であるバケット２０に継ぎ足し接続可能なカッタを取り付けた側面図であり、図９（ｂ）はカッタ先端部のＢ矢視図である。
【００４４】
図９（ａ）に示すように、従来構造の２分割扇状バケットの拡幅掘削をする一方のバケット２０の半径方向外方に、かつ、バケット２０が開の状態で透し掘り用カッタＡ３０が拡翼する位置に、ブラケット２４によって透し掘り用カッタＡ３０が着脱自在に取り付けられている。なお、バケット２０への透し掘り用カッタＡ３０の取り付け位置は、図３〜図５で示す透し掘り用カッタＡ３０の取り付け位置とは勝手違い（紙面の裏面方向視）で表示している。
【００４５】
透し掘り用カッタＡ３０は、図においては、第１カッタ３０と第２カッタ４０とで構成されていて、第１段階カッタＡ３０（１）は第１カッタ３０を示し、第２段階カッタＡ３０（２）は第１カッタ３０に第２カッタ４０を接続延長させた状態を示している。
【００４６】
そして、第１段階カッタＡ３０（１）がガイド溝５の第１段階拡幅掘削をし、第２段階カッタＡ３０（２）がガイド溝５の第２段階拡幅掘削をするよう構成されている。また、図９では明示されていないが、第３段階カッタＡ３０（３）がガイド溝５の第３段階拡幅掘削をするよう構成されている。
【００４７】
第１カッタ３０は、紙面に平行な台形状の２枚の側板３０ｃで箱状に形成されて、側板３０ｃのバケット２０側が、複数のブラケット２４とボルト２４Ｂによってバケット２０の側部２０ａの底部近傍に螺着されている。
【００４８】
ブラケット２４は、円周方向両端のボルト２４Ｂ間のスパンＬが、バケット２０の円周方向寸法ＬＢ内で可能な限り長いことが好ましい。また、ブラケット２４の半径方向外径部２４ａは、ブレード２２ｂの半径方向外縁部２２ａの半径方向距離Ｒより短くして、透し掘り用カッタＡ３０がない場合のバケット２０のみの掘削に支障がないように構成されている。
【００４９】
第１カッタ３０の２枚の側板３０ｃのそれぞれにおける上部と下部に、超硬合金で肉盛りカバーされた鋸歯状のブレード３０ｂが設けられ、２枚の側板３０ｃの前後部が、紙面に垂直な前板３０ｄ及び後部補強板３０ｅによって固定され、その前板３０ｄの上下に超硬合金で肉盛りカバーされた鋸歯状のブレード３０ａが設けられている（図９（ｂ）のブレード４０ａと同様）。
【００５０】
上記のように、ブレード３０ｂ、３０ａが上下に設けられて、バケット２０の上昇、下降の何れの方向でも拡幅掘削が可能に構成されている。
【００５１】
第１カッタ３０の先端部に、透し掘り用の第２段階カッタＡ３０（２）を構成するための第２カッタ４０が、次記する後板４０ｅでボルトによって着脱自在に取り付けられている。
【００５２】
図９（ｂ）に示すように、第２カッタ４０は、２枚の側板４０ｃのそれぞれの上部と下部に超硬合金で肉盛りカバーされた鋸歯状のブレード４０ａが設けられ、また、２枚の側板４０ｃの前、後部が、紙面に垂直な前板４０ｄと後板４０ｅによって固定され、その前板４０ｄの上下に超硬合金で肉盛りカバーされた鋸歯状のブレード４０ａが設けられている。
【００５３】
上記のように、ブレード４０ａ、４０ｂが上下に設けられて、バケット２０の上昇、下降の何れの方向でも拡幅掘削が可能に構成されている。
【００５４】
図９中に明示しない第３段階カッタＡ３０（３）を構成するための第３カッタ５０は、第２カッタ４０とほぼ同様の構成である。
【００５５】
図１０〜図１７では、上記透し掘り用カッタＡ３０を取り付けたバケット２０の開閉状態が示されている。本発明の透し掘り連壁工法を施工する際の前出図１〜図８の工程図を参照して説明する。
【００５６】
図１０及び図１１は、ガイド溝５を掘削する図２の工程で使用する透し掘り用カッタＡ３０のない掘削装置１７のバケット２０の開閉状態を示している。
【００５７】
図１２及び図１３は、ガイド溝５を第１段階拡幅掘削する図３の工程で使用する透し掘り第１段階カッタＡ３０（１）を取り付けた掘削装置１７のバケット２０の開閉状態を示している。第１段階カッタＡ３０（１）のバケット２０への取り付けは、図３とは勝手違いで示している。以降のカッタＡ３０の取り付け図も同様である。
【００５８】
図１４及び図１５は、ガイド溝５を第２段階拡幅掘削する図４の工程で使用する透し掘り用の第２段階カッタＡ３０（２）を取り付けた掘削装置１７のバケット２０の開閉状態を示している。図４における第２段階カッタＡ３０（２）は、第１段階カッタＡ３０（１）に延長用のカッタ４０を接続して一体にした状態を示したものである。
【００５９】
図１６及び図１７は、ガイド溝５を第３段階拡幅掘削する図５の工程で使用する透し掘り用の第３段階カッタＡ３０（３）を取り付けた掘削装置１７のバケット２０の開閉状態を示している。図５における第３段階カッタＡ３０（３）は、第２段階カッタＡ３０（２）に延長用のカッタ５０を接続した状態を示したものである。
【００６０】
前記のように、ガイド溝５の拡幅掘削では掘削土砂Ｇｓが掘削を阻害する堆積時には、カッタＡ３０を外して底さらいをしている。従って、カッタＡ３０の着脱が容易であることが肝要である。
【００６１】
以上の図示の実施形態はあくまでも例示であり、本発明の技術範囲を限定する趣旨の記述ではない。
例えば、掘削機器としてはバケット２０が図示されているが、その他の掘削機器を用いることも可能である。
また、図示の実施形態では、透し掘り用カッタＡ３０の長さは３段階に変化するが、２段階に変化させても、或いは、４段階以上の多段階に亘って変化させても良い。
【００６２】
【発明の効果】
本発明の作用効果を以下に列挙する。
（１）　透し掘り専用機を使用すること無く、例えば１ｍ以上の長距離の透し掘りが可能となる。
（２）　地中障害物を迂回するように地中壁を築造する、所謂「切り廻し」を行う必要が無い。
（３）　透し掘り用カッタの長さが変化する段数を適宜調節することにより、地中障害物の長さ、或いは透し掘りを行うべき距離に対して、自在に対応できる。
（４）　透し掘りを行って地中連続壁を築造する際のコストを著しく低減させる事が出来る。
【図面の簡単な説明】
【図１】本発明の透し堀連壁工法の準備段階を示す施工図。
【図２】ガイド溝の掘削を示す図。
【図３】ガイド溝の第１段階拡幅掘削を示す図。
【図４】ガイド溝の第２段階拡幅掘削を示す図。
【図５】ガイド溝の第３段階拡幅掘削を示す図。
【図６】第３段階拡幅掘削が完了した状態を示す図。
【図７】底さらいの状態を示す図。
【図８】拡幅穴が所定の深さまで行わたれかを超音波測定で確認する状態を示す図。
【図９】拡幅掘削用カッターの側（ａ）及び正面（ｂ）図。
【図１０】掘削用機械のバケットが開の状態にある図。
【図１１】掘削用機械のバケットが閉の状態にある図。
【図１２】第１段階カッタが取り付けられたバケットが開の状態にある図。
【図１３】第１段階カッタが取り付けられたバケットが閉の状態にある図。
【図１４】第２段階カッタが取り付けられたバケットが開の状態にある図。
【図１５】第２段階カッタが取り付けられたバケットが閉の状態にある図。
【図１６】第３段階カッタが取り付けられたバケットが開の状態にある図。
【図１７】第３段階カッタが取り付けられたバケットが閉の状態にある図。
【図１８】従来の透し掘り連壁工法におけるガイド溝掘削を示す図。
【図１９】同上の透し掘りの初期掘削を示す図。
【符号の説明】
Ａ３０・・透し掘り用カッタ
Ａ３０（１）・・第１段階カッタ
Ａ３０（２）・・第２段階カッタ
Ａ３０（３）・・第３段階カッタ
Ｂ１・・第１段階拡幅部
Ｂ２・・第２段階拡幅部
Ｂ３・・第３段階拡幅部
Ｇ・・・地盤
Ｇ３・・障害物下方の領域
Ｇｓ・・掘削土砂
３・・・地中障害物
５・・・ガイド溝
１７・・掘削装置
２０・・バケット（掘削用機械）
２４・・ブラケット
３０、４０、５０・・第１、第２、第３カッタ
３０ａ、３０ｂ、４０ａ、４０ｂ・・ブレード
【図１】
2004044083.tif 000003
【図２】
2004044083.tif 000004
【図３】
2004044083.tif 000005
【図４】
2004044083.tif 000006
【図５】
2004044083.tif 000007
【図６】
2004044083.tif 000008
【図７】
2004044083.tif 000009
【図８】
2004044083.tif 000010
【図９】
2004044083.tif 000011
【図１０】
2004044083.tif 000012
【図１１】
2004044083.tif 000013
【図１２】
2004044083.tif 000014
【図１３】
2004044083.tif 000015
【図１４】
2004044083.tif 000016
【図１５】
2004044083.tif 000017
【図１６】
2004044083.tif 000018
【図１７】
2004044083.tif 000019
【図１８】
2004044083.tif 000020
【図１９】
2004044083.tif 000021